(57)【要約】【課題】放送形態を異にする２つのチューナを個別に内蔵した第１及び第２筐体２、３の寸法に依存せず、フロントエンド部１に各別のコネクタ４、５を最少間隔で設置できるテレビジョン受像機を提供する。【解決手段】衛星放送信号を受信する衛星放送受信チューナを内蔵した第１筐体２と、ＵＨＦ／ＶＨＦテレビジョン信号を受信するＵＨＦ／ＶＨＦ受信チューナを内蔵した第２筐体３とをテレビジョン受像機内に配置し、第１筐体２に、衛星放送信号が入力される第１コネクタ４とＵＨＦ／ＶＨＦテレビジョン信号が入力される第２コネクタ５とを隣接配置し、第１コネクタ４を衛星放送受信チューナの信号入力部に接続し、第２コネクタ５を第１筐体２内を通った後第２筐体３の信号入力端を経てＵＨＦ／ＶＨＦ受信チューナの信号入力部にリード接続している。【選択図】        図１
2005039467.tif 000002
【特許請求の範囲】
【請求項１】
第１放送形態のテレビジョン信号を受信する第１チューナを内蔵した第１筐体と、前記第１放送形態と異なる第２放送形態のテレビジョン信号を受信する第２チューナを内蔵した第２筐体とをテレビジョン受像機内に配置し、前記第１筐体に、前記第１放送形態のテレビジョン信号が入力される第１コネクタと前記第２放送形態のテレビジョン信号が入力される第２コネクタとを隣接配置し、前記第１コネクタを前記第１チューナの信号入力部に接続し、前記第２コネクタを前記第１筐体内を通った後前記第２筐体の信号入力端を経て前記第２チューナの信号入力部にリード接続していることを特徴とするテレビジョン受像機。
【請求項２】
前記第１コネクタと前記第１チューナの信号入力部との間に前記第１放送形態のテレビジョン信号周波数を選択抽出する第１フィルタを挿入接続し、前記第２コネクタと前記第２チューナの信号入力部とを接続するリード内に前記第２放送形態のテレビジョン信号周波数を選択抽出する第２フィルタを挿入接続していることを特徴とする請求項１に記載のテレビジョン受像機。
【請求項３】
前記第２フィルタは、前記第１筐体内部に挿入接続されていることを特徴とする請求項２に記載のテレビジョン受像機。
【請求項４】
前記第１チューナは、衛星放送受信チューナであり、前記第２チューナは、地上波放送受信チューナであることを特徴とする請求項１乃至３のいずれかに記載のテレビジョン受像機。
【請求項５】
前記第１チューナは、地上波放送受信チューナであり、前記第２チューナは、衛星放送受信チューナであることを特徴とする請求項１乃至３のいずれかに記載のテレビジョン受像機。
【発明の詳細な説明】
【０００１】
【発明の属する技術分野】
本発明は、テレビジョン受像機に係り、特に、放送形態を異にしている２系統のテレビジョン信号を個別に受信する第１及び第２チューナの各筐体を内蔵し、第１及び第２チューナに受信したテレビジョン信号を供給する２つのコネクタの配置間隔を狭め、装置の小型化を図るようにしたテレビジョン受像機に関する。
【０００２】
【従来の技術】
近年、テレビジョン放送の分野においては、それまでの主力であったアナログ地上波放送に加えて、衛星放送等の各種の放送のサービスが開始されるようになり、それに伴いテレビジョン受像機においても、アナログ地上波放送を受信できるだなく、選択的に衛星放送も受信できる多機能型テレビジョン受像機が多く出回るようになっており、その代表的なものとして衛星放送受信チューナ内蔵型のテレビジョン受像機がある。
【０００３】
このような多機能テレビジョン受像機は、本来的に、アナログ地上波放送を受信するものであるため、アナログ地上波放送を受信するチューナ、すなわちＵＨＦ／ＶＨＦ受信チューナを内蔵しており、また、衛星放送も併せて受信することができるように衛星放送受信チューナも内蔵している。
【０００４】
ところで、アナログ地上波放送に利用されている周波数帯域と、衛星放送に利用されている周波数帯域とは、その周波数帯がかなり離間しているため、１つのテレビジョン受像機内に単純にＵＨＦ／ＶＨＦ受信チューナと衛星放送受信チューナとを内蔵した構成にすると、互いに相手側のチューナの影響を大きく受け、ともに正常な状態でテレビジョン信号を受信することができない。このため、多機能型テレビジョン受像機においては、ＵＨＦ／ＶＨＦ受信チューナ及び衛星放送受信チューナをそれぞれ独立した筐体内に収容し、互いに相手側のチューナの影響を受けないような構造にしている。
【０００５】
ここで、図３は、既知の多機能テレビジョン受像機におけるフロントエンド部の要部構成の第１例を示すブロック図である。
【０００６】
図３に示されるように、多機能テレビジョン受像機におけるフロントエンド部３１は、衛星放送受信チューナを収容し、第１コネクタ３３を設けた第１筐体３２と、ＵＨＦ／ＶＨＦ受信チューナを収容し、第２コネクタ３５を設けた第２筐体３４とが内蔵されている。第１コネクタ３３は、受信された衛星放送信号を衛星放送受信チューナに供給するもので、第１筐体３２の側面及びフロントエンド部３１の対応する側面を挿通して頭部が多機能テレビジョン受像機から突出しており、同じように、第２コネクタ３５は、受信したテレビジョン放送信号をＵＨＦ／ＶＨＦ受信チューナに供給するもので、第２筐体３４の側面及びフロントエンド部３１の対応する側面を挿通して頭部が多機能テレビジョン受像機から突出している。この場合、第１コネクタ３３と第２コネクタ３５が設置される位置は、フロントエンド部３１における同じ水平位置であって、できるだけ近接するような位置、例えば５０ｍｍ間隔になるように設置されている。
【０００７】
このような構成を有するフロントエンド部３１において、衛星放送受信アンテナ（図示なし）で衛星放送信号が受信されると、受信された衛星放送信号は、第１コネクタ３３を通して第１筐体３２に収容されている衛星放送信号チューナの信号入力部に供給され、同様に、テレビジョンアンテナ（図示なし）でテレビジョン放送信号が受信されると、受信されたテレビジョン放送信号は、第２コネクタ３５を通して第２筐体３４に収容されているＵＨＦ／ＶＨＦ受信チューナの信号入力部に供給される。
【０００８】
次に、図４は、既知の多機能テレビジョン受像機におけるフロントエンド部の要部構成の第２例を示すブロック図であって、ＵＨＦ／ＶＨＦ受信チューナを収容した第２筐体３４’が小型化されている例を示すものである。
【０００９】
図４に示されるように、多機能テレビジョン受像機におけるフロントエンド部４１は、衛星放送受信チューナを収容し、第１コネクタ４３を設けた第１筐体４２と、ＵＨＦ／ＶＨＦ受信チューナを収容し、信号入力ピン４５を設けた小型の第２筐体４４とを内蔵している。第１コネクタ４３は、受信された衛星放送信号を衛星放送受信チューナに供給するもので、第１筐体４２の側面及びフロントエンド部４１の対応する側面を挿通して頭部が多機能テレビジョン受像機から突出しており、第２コネクタ４６は、受信されたテレビジョン放送信号を信号入力ピン４５を通してＵＨＦ／ＶＨＦ受信チューナに供給するもので、第２筐体４４の側面に信号入力ピン４５が挿通され、その信号入力ピン４５に対向したフロントエンド部４１の対応する側面に第２コネクタ４６が挿通されて頭部が多機能テレビジョン受像機から突出しており、信号入力ピン４５と第２コネクタ４６とがリード４７によって接続されている。この場合も、第１コネクタ４３と第２コネクタ４６の設置位置は、フロントエンド部４１における同じ水平位置であって、できるだけ近接するような位置、例えば５０ｍｍ間隔よりも若干狭い４５ｍｍ間隔になるように設置されている。
【００１０】
かかる構成を有するフロントエンド部４１において、衛星放送受信アンテナ（図示なし）で衛星放送信号が受信されると、受信された衛星放送信号は、第１コネクタ４３を通して第１筐体４２に収容されている衛星放送チューナの信号入力部に供給される。同様に、テレビジョンアンテナ（図示なし）でテレビジョン放送信号が受信されると、受信されたテレビジョン放送信号は、第２コネクタ４６、接続リード４７及び信号入力ピン４５を通して第２筐体４４に収容されているＵＨＦ／ＶＨＦ受信チューナの信号入力部に供給される。
【００１１】
【発明が解決しようとする課題】
前記既知の多機能テレビジョン受像機における第１例のフロントエンド部３１においては、ＵＨＦ／ＶＨＦ受信チューナを内蔵した第１筐体３２と衛星放送受信チューナを内蔵した第２筐体３４とを並置した場合、第１筐体３２から第１コネクタ３３を突出させ、第２筐体３４から第２コネクタ３５を突出させた構造になっているため、フロントエンド部３１の側面に設置される第１コネクタ３３と第２コネクタ３５の設置間隔は、第１筐体３２及び第２筐体３４の側面寸法に依存し、その設置間隔を５０ｍｍ程度以下にすることが難しく、フロントエンド部３１を小型化する際の障害になっている。
【００１２】
これに対して、前記既知の多機能テレビジョン受像機における第２例のフロントエンド部４１においては、ＵＨＦ／ＶＨＦ受信チューナを内蔵した第１筐体４２と衛星放送受信チューナを内蔵した第２筐体４４とを並置した場合、第１コネクタ４３を第１筐体４２から突出させ、第２コネクタ４６を第２筐体４４の側面に設けた信号入力ピン４５に対応した位置から突出させた構造になっているが、第２筐体４４の側面寸法が第１筐体４２の側面寸法に比べて小さいため、フロントエンド部４１の側面に設置される第１コネクタ４３と第２コネクタ４６との設置間隔は、第１例の場合よりも狭くすることができるものの、その間隔を４５ｍｍ程度以下にすることが難しく、同様にフロントエンド部４１を小型化する際の障害になっていることに変わりがない。
【００１３】
本発明は、このような技術的背景に鑑みてなされたもので、その目的は、放送形態を異にする２つのチューナを個別に内蔵した第１及び第２筐体の寸法に依存せず、フロントエンド部に各別のコネクタを最少間隔で設置できるテレビジョン受像機を提供することにある。
【００１４】
【課題を解決するための手段】
前記目的を達成するために、本発明によるテレビジョン受像機は、第１放送形態のテレビジョン信号を受信する第１チューナを内蔵した第１筐体と、第１放送形態と異なる第２放送形態のテレビジョン信号を受信する第２チューナを内蔵した第２筐体とをテレビジョン受像機内に配置し、第１筐体に、第１放送形態のテレビジョン信号が入力される第１コネクタと第２放送形態のテレビジョン信号が入力される第２コネクタとを隣接配置し、第１コネクタを第１チューナの信号入力部に接続し、第２コネクタを第１筐体内を通った後第２筐体の信号入力端を経て第２チューナの信号入力部にリード接続した手段を備える。
【００１５】
このような手段によれば、第１チューナを内蔵した第１筐体の側面に、受信された第１放送形態のテレビジョン信号が供給される第１コネクタと受信された第２放送形態のテレビジョン信号が供給される第２コネクタとを隣接配置し、第２コネクタと第２チューナを内蔵した第２筐体の信号入力端との接続手段としてリード接続を用いるようにしたので、第１及び第２コネクタをそれぞれ対応する第１及び第２チューナの各信号入力端に接続することができるとともに、フロントエンド部に第１コネクタと第２コネクタとを最少間隔で設置することが可能になり、テレビジョン受像機を既知のものより大幅に小型化することができる。
【００１６】
また、前記手段において、第１コネクタと第１チューナの信号入力部との間に第１放送形態のテレビジョン信号周波数を選択抽出する第１フィルタを挿入接続し、第２コネクタと第２チューナの信号入力部とを接続するリード内に第２放送形態のテレビジョン信号周波数を選択抽出する第２フィルタを挿入接続した構成にしている。
【００１７】
このような構成によれば、フロントエンド部に第１コネクタ及び第２コネクタを隣接配置したことにより、第１コネクタに供給される第１放送形態のテレビジョン信号と第２コネクタに供給される第２放送形態のテレビジョン信号との間に若干量の干渉妨害を生じたとしても、第１コネクタに第１放送形態のテレビジョン信号周波数を選択抽出する第１フィルタを接続し、第２コネクタに第２放送形態のテレビジョン信号周波数を選択抽出する第２フィルタを接続しているので、第１フィルタにおいては第１放送形態のテレビジョン信号周波数だけが選択抽出されるとともに、第２フィルタにおいては第２放送形態のテレビジョン信号周波数だけが選択抽出され、前記干渉妨害の影響を大幅に低減することができる。
【００１８】
【発明の実施の形態】
以下、本発明の実施の形態を図面を参照して説明する。
【００１９】
図１は、本発明によるテレビジョン受像機の第１の実施の形態を示すもので、そのフロントエンド部の要部構成を示すブロック図である。
【００２０】
図１に示されるように、第１の実施の形態によるフロントエンド部１は、衛星放送受信チューナ（第１放送形態のテレビジョン信号を受信する第１チューナ）を収容し、一つの側面に第１コネクタ４及び第２コネクタ５を隣接状態に設置した第１筐体２と、ＵＨＦ／ＶＨＦ受信チューナ（第２放送形態のテレビジョン信号を受信する第２チューナ）を収容し、一つの側面に信号入力ピン６が挿通された小型の第２筐体３とが内蔵配置されている。第１コネクタ４は、受信された衛星放送信号を衛星放送受信チューナに供給するもので、第１筐体２の一つの側面及びフロントエンド部１の対応する側面を挿通して頭部が多機能テレビジョン受像機から突出しており、第２コネクタ５は、受信されたＵＨＦ／ＶＨＦテレビジョン放送信号を信号入力ピン４５を通してＵＨＦ／ＶＨＦ受信チューナに供給するもので、第２筐体４４の一つの側面に挿通された信号入力ピン６に対向したフロントエンド部１の対応する側面に第２コネクタ５が挿通されてその頭部が多機能テレビジョン受像機から突出しており、信号入力ピン６と第２コネクタ５とがリード７によって接続されている。この場合、第１コネクタ４と第２コネクタ５の設置位置は、フロントエンド部１における同じ水平位置であって、できるだけ近接する位置、例えば２０ｍｍ間隔程度になるように設置されている。
【００２１】
前記構成を有する第１の実施の形態によるフロントエンド部１において、衛星放送受信アンテナ（図示なし）で衛星放送信号が受信されると、受信された衛星放送信号は、第１コネクタ４を通して第１筐体２に収容されている衛星放送チューナの信号入力部に供給される。また、ＵＨＦ／ＶＨＦテレビジョンアンテナ（図示なし）でＵＨＦ／ＶＨＦテレビジョン放送信号が受信されると、受信されたＵＨＦ／ＶＨＦテレビジョン放送信号は、第２コネクタ５から接続リード７及び信号入力ピン６を通して第２筐体３に収容されているＵＨＦ／ＶＨＦ受信チューナの信号入力部に供給される。
【００２２】
このようにこの実施の形態によるフロントエンド部１は、衛星放送受信チューナを収容した第１筐体２の一つの側面に、衛星放送信号が供給される第１コネクタ４とＵＨＦ／ＶＨＦテレビジョン放送信号が供給される第２コネクタ５を隣接配置し、フロントエンド部１の対応する側面から隣接配置した第１コネクタ４と第２コネクタ５の各頭部を突出するようにしたので、第１コネクタ４と第２コネクタ５の配置間隔を既知のフロントエンド部における同配置間隔よりも大幅に狭めることができ、その分、テレビジョン受像機の小型化を図ることができる。また、第２コネクタ５とＵＨＦ／ＶＨＦ受信チューナとの接続は、第２コネクタ５とＵＨＦ／ＶＨＦ受信チューナを収容した第２筐体３の一つの側面に設けた信号入力ピン６とを接続リード７により接続しているので、第２コネクタ５に供給されたＵＨＦ／ＶＨＦテレビジョン放送信号を支障なくＵＨＦ／ＶＨＦ受信チューナの信号入力端に伝達させることができる。
【００２３】
次に、図２は、本発明によるテレビジョン受像機の第２の実施の形態を示すもので、そのフロントエンド部の要部構成を示すブロック図である。
【００２４】
なお、図２において、図１に示された構成要素と同じ構成要素については、同じ符号を付けている。
【００２５】
図２に示される第２の実施の形態によるフロントエンド部１は、第１筐体２の一つの側面に設けた第１コネクタ４と衛星放送受信チューナ（第１放送形態のテレビジョン信号を受信する第１チューナ）の信号入力端との間に、衛星放送信号周波数を選択抽出するハイパスフィルタ（ＨＦ、第１フィルタ）８を挿入接続しており、また、第１筐体２の一つの側面に設けた第２コネクタ５とＵＨＦ／ＶＨＦ受信チューナ（第２放送形態のテレビジョン信号を受信する第２チューナ）を収容した小型の第２筐体３の信号入力ピン６とを導電接続するリード７内に、ＵＨＦ／ＶＨＦ信号周波数を選択抽出するローパスフィルタ（ＬＦ、第２フィルタ）９を挿入接続している点において、第１の実施の形態によるフロントエンド部１と構成を異にしているが、その他の構成については第１の実施の形態によるフロントエンド部１の構成と同じである。このため、第２の実施の形態によるフロントエンド部１の構成については、これ以上の説明を省略する。
【００２６】
また、第２の実施の形態によるフロントエンド部１において、衛星放送受信アンテナ（図示なし）で衛星放送信号が受信されると、受信された衛星放送信号は、第１コネクタ４及びハイパスフィルタ８を通して第１筐体２に収容されている衛星放送チューナの信号入力部に供給される。また、ＵＨＦ／ＶＨＦテレビジョンアンテナ（図示なし）でＵＨＦ／ＶＨＦテレビジョン放送信号が受信されると、受信されたＵＨＦ／ＶＨＦテレビジョン放送信号は、第２コネクタ５からローパスフィルタ９、接続リード７及び信号入力ピン６を通して、第２筐体３に収容されているＵＨＦ／ＶＨＦ受信チューナの信号入力部に供給される。
【００２７】
この場合、第２の実施の形態によるフロントエンド部１においても、衛星放送受信チューナを収容した第１筐体２の一つの側面に、衛星放送信号が供給される第１コネクタ４とＵＨＦ／ＶＨＦテレビジョン放送信号が供給される第２コネクタ５を隣接配置し、フロントエンド部１の対応する側面から隣接配置した第１コネクタ４と第２コネクタ５の各頭部を突出するようにしたので、第１コネクタ４と第２コネクタ５の配置間隔を既知のフロントエンド部における同配置間隔よりも大幅に狭めることができ、その分、テレビジョン受像機の小型化を図ることができるとともに、第２コネクタ５とＵＨＦ／ＶＨＦ受信チューナとの接続は、第２コネクタ５とＵＨＦ／ＶＨＦ受信チューナを収容した第２筐体３の一つの側面に設けた信号入力ピン６とを接続リード７により接続しているので、第２コネクタ５に供給されたＵＨＦ／ＶＨＦテレビジョン信号を支障なくＵＨＦ／ＶＨＦ受信チューナの信号入力端に伝達させることができる。
【００２８】
さらに、第２の実施の形態によるフロントエンド部１においては、フロントエンド部１に第１コネクタ４及び第２コネクタ５を隣接配置したことにより、第１コネクタ４に供給される衛星放送信号と第２コネクタ５に供給されるＵＨＦ／ＶＨＦテレビジョン信号との間に若干の干渉妨害が生じたとしても、第１コネクタ４にハイパスフィルタ８を接続し、第２コネクタ５にローパスフィルタ９を接続したので、ハイパスフィルタ８で衛星放送信号周波数だけが選択抽出されるとともに、ローパスフィルタ９でＵＨＦ／ＶＨＦテレビジョン信号周波数だけが選択抽出されるようになり、干渉妨害の影響を大幅に低減することができる。
【００２９】
この第２の実施の形態においては、ローパスフィルタ９が第２コネクタ５に近接した位置に挿入接続されている例を示しているが、ローパスフィルタ９の接続個所はこのような接続個所に限られるものでなく、接続リード７の途中であってもよく、信号入力ピン６に近接した位置であってもよい。
【００３０】
なお、前記各実施の形態においては、第１放送形態のテレビジョン信号を受信する第１チューナが衛星放送受信チューナであり、第２放送形態のテレビジョン信号を受信する第２チューナがＵＨＦ／ＶＨＦ受信チューナである例を挙げて説明したが、本発明が対象とする第１チューナ及び第２チューナは、このような例に限られるものでなく、第１チューナがＵＨＦ／ＶＨＦ受信チューナであり、第２チューナが衛星放送受信チューナであってもよく、また、第１及び第２チューナの中の一方がＵＨＦ／ＶＨＦ受信チューナであり、第１及び第２チューナの中の他方が衛星放送受信チューナと異なる放送形態の放送受信チューナであってもよい。
【００３１】
【発明の効果】
以上のように、請求項１に記載の発明によれば、第１チューナを内蔵した第１筐体の側面に、受信された第１放送形態のテレビジョン信号が供給される第１コネクタと受信された第２放送形態のテレビジョン信号が供給される第２コネクタとを隣接配置し、第２コネクタと第２チューナを内蔵した第２筐体の信号入力端との接続手段としてリード接続を用いるようにしたので、第１及び第２コネクタをそれぞれ対応する第１及び第２チューナの各信号入力端に接続することができるとともに、フロントエンド部に第１コネクタと第２コネクタとを最少間隔で設置することが可能になり、テレビジョン受像機を既知のものより大幅に小型化することができるという効果がある。
【００３２】
また、請求項２に記載の発明によれば、請求項１に記載の発明が奏する効果が得られる他に、フロントエンド部に第１コネクタ及び第２コネクタを隣接配置したことにより、第１コネクタに供給される第１放送形態のテレビジョン信号と第２コネクタに供給される第２放送形態のテレビジョン信号との間に若干量の干渉妨害を生じたとしても、第１コネクタに第１放送形態のテレビジョン信号周波数を選択抽出する第１フィルタを接続し、第２コネクタに第２放送形態のテレビジョン信号周波数を選択抽出する第２フィルタを接続しているので、第１フィルタにおいては第１放送形態のテレビジョン信号周波数だけが選択抽出されるとともに、第２フィルタにおいては第２放送形態のテレビジョン信号周波数だけが選択抽出され、干渉妨害の影響を大幅に低減することができるという効果がある。
【図面の簡単な説明】
【図１】本発明によるテレビジョン受像機の第１の実施の形態を示すもので、そのフロントエンド部の要部構成を示すブロック図である。
【図２】本発明によるテレビジョン受像機の第２の実施の形態を示すもので、そのフロントエンド部の要部構成を示すブロック図である。
【図３】既知の多機能テレビジョン受像機におけるフロントエンド部の要部構成の第１例を示すブロック図である。
【図４】既知の多機能テレビジョン受像機におけるフロントエンド部の要部構成の第２例を示すブロック図である。
【符号の説明】
１  フロントエンド部
２  第１筐体
３  第２筐体
４  第１コネクタ
５  第２コネクタ
６  信号入力ピン
７  接続リード
８  ハイパスフィルタ（第１フィルタ）
９  ローパスフィルタ（第２フィルタ）
【図１】
2005039467.tif 000003
【図２】
2005039467.tif 000004
【図３】
2005039467.tif 000005
【図４】
2005039467.tif 000006